(57)【特許請求の範囲】
【請求項１】
拡散転写画像を形成するための方法であって：
照射の像様のパターンに対する少なくとも１つのハロゲン化銀乳剤層を有する支持体を含む感光性要素を露光する、工程；
イノシンの存在下において、水性アルカリ性処理組成物を用いて、該露光された感光性要素を現像する工程であり、ここで、該処理組成物がヒポキサンチンを含有する、工程；および
受像層上に画像を形成する工程を包含する、方法。
【請求項２】
前記イノシンが前記処理組成物中に含有される、請求項１に記載の方法。
【請求項３】
前記感光性要素の前記支持体が重合体酸反応層を有する、請求項１に記載の方法。
【請求項４】
前記イノシンが前記重合体酸反応層中に含有される、請求項３に記載の方法。
【請求項５】
前記処理組成物が0.05重量％から0.5重量％の前記イノシンを含有する、請求項２に記載の方法。
【請求項６】
前記処理組成物が0.10重量％から0.30重量％の前記イノシンを含有する、請求項５に記載の方法。
【請求項７】
前記処理組成物が0.50重量％から1.5重量％の前記ヒポキサンチンを含有する、請求項６に記載の方法。
【請求項８】
拡散転写写真フィルムユニットであって：支持体；少なくとも１つのハロゲン化銀乳剤層；受像層；ヒポキサンチンを含有する水性アルカリ性処理組成物；およびイノシン、を含む、ユニット。
【請求項９】
前記イノシンが前記処理組成物中に含有される、請求項８に記載の拡散転写写真フィルムユニット。
【請求項１０】
前記支持体が重合体酸反応層を有する、請求項８に記載の拡散転写写真フィルムユニット。
【請求項１１】
前記イノシンが前記重合体酸反応層中に含有される、請求項10に記載の拡散転写写真フィルムユニット。
【請求項１２】
前記処理組成物が0.05重量％から0.5重量％の前記イノシンを含有する、請求項９に記載の拡散転写写真フィルムユニット。
【請求項１３】
前記処理組成物が0.10重量％から0.30重量％の前記イノシンを含有する、請求項12に記載の拡散転写写真フィルムユニット。
【請求項１４】
前記処理組成物が0.50重量％から1.5重量％の前記ヒポキサンチンを含有する、請求項13に記載の拡散転写写真フィルムユニット。
【請求項１５】
請求項８に記載の拡散転写写真フィルムユニットであって、ここで、前記支持体が、シアン画像色素供与性物質をそれに関連して有する赤感性ハロゲン化銀乳剤層、マゼンタ画像色素供与性物質をそれに関連して有する緑感性ハロゲン化銀乳剤層、およびイエロー画像色素供与性物質をそれに関連して有する青感性ハロゲン化銀乳剤層を有する、ユニット。
【請求項１６】
拡散転写写真フィルムユニットとともに使用するための水生アルカリ性処理組成物であって：ハロゲン化銀現像剤、ハロゲン化銀溶剤、ヒポキサンチン、およびイノシン、を包含する、組成物。
【請求項１７】
0.05重量％から0.50重量％の前記イノシンを含有する、請求項16に記載の処理組成物。
【請求項１８】
0.50重量％から1.5重量％の前記ヒポキサンチンを含有する、請求項17に記載の処理組成物。
【請求項１９】
0.10重量％から0.30重量％の前記イノシンを含有する、請求項16に記載の処理組成物。
【請求項２０】
0.50重量％から1.5重量％の前記ヒポキサンチンを含有する、請求項19に記載の処理組成物。
【発明の詳細な説明】
本発明は、新規な原板処理組成物、フィルムユニット、および拡散転写写真システムにおける使用のためのプロセスに関する。より詳細には、本発明は、ヒポキサチンおよびイノシンの存在下における拡散転写写真フィルムユニットの原板処理の方法に関する。
発明の背景
拡散転写写真プロセスは当該分野で周知である。このようなプロセスは、最終画像が、画像供与性物質の像様(imagewise)分布の形成、およびこの像様分布の受像層への拡散転写の作用であるという特徴を共通して有する。一般に、拡散転写画像は、最初に、感光性要素またはネガフィルム成分(これは少なくとも1層の感光性ハロゲン化銀層を含む)を化学線照射に露光して、現像可能な画像を形成することによって得られる。その後、この画像を、水性アルカリ性処理液を付与することによって現像して、可溶性かつ拡散性の画像色素供与性物質の像様分布を形成し、そしてこの像様分布を、重ね合わせた受像要素の受像層またはポジフィルム成分に拡散することによって転写して、そこに転写画像を与える。
拡散転写プロセスで用いられる水性処理組成物は通常、強アルカリ性である(例えば、約pH12を越える)。処理を所定時間進行させた後、処理組成物のアルカリを中和して、さらなる現像および画像色素の転写を防ぐことが望ましく、そしていくつかの例においては、引き続き酸化することが望ましい。この酸化は受像層中に得られる画像の光に対する安定性に対して、重要かつ実質的な影響を有し得る。従って、中和層、典型的には非拡散性の酸反応性試薬をフィルムユニット中で用いて、処理組成物の第1の(高い)pHから所定の第2の(低い)pHへとpHを低下させる。
pH低下が十分な所定時間後に起こり、そして現像プロセスを妨害するほど(例えば、画像色素の転写を停止すると、その結果、例えば、色の薄い(すなわち低密度の)所望されない色バランスの画像となり得る)早すぎないようにすることを確実にするために、典型的にはタイミング層が中和層の前に配置される。
当該分野で公知の拡散転写写真材料としては、感光性ハロゲン化銀乳剤層および受像層が最初は分離した要素中に含まれ、これが露光の後または前に重ね合わされるような写真材料が挙げられる。あるいは、感光層および受像層は最初から、感光成分および受像成分が一緒に一体化したネガ−ポジ構造で保持される単一の要素中に存在してもよい。いずれの場合でも、現像後、2つの要素は単一のフィルムユニット中（このフィルムユニットはしばしば、一体化(integral)フィルムユニットと呼ばれる）または、別々のフィルムユニット中（このフィルムユニットはしばしば、ピールアパートタイプ(peel-apart)フィルムユニットと呼ばれる）に保持され得る。
当業者に理解されるように、いくつかの例においては、最終画像は、原板処理と同時に、一般的には、原板処理の約１ヶ月後に、種々の形状および種々の性質の生じた表面を示し、これらは、例えば、水性アルカリ性処理組成物からの１つ以上の成分である結晶形成または「塩析」あるいは、写真フィルムユニットの処理によるものとされてきた。また、いくつかの例においては、内部の結晶形成（すなわち、結晶は、フィルムユニット構成内に位置する）はまた、仕上がった写真の最終画像中における上記欠陥によるものとされ得ることが当業者に理解される。すなわち、結晶は、大きすぎるため受像層中に突出し、ゆえに最終画像に目に見える欠点を与える。
例えば、アルカリ可溶性のホウ酸化合物（米国特許第4,168,166号中に開示及び特許請求されている）、または飽和ポリオール（米国特許第4,324,853号中に開示及び特許請求されている）のような水性アルカリ性処理組成物中の物質を含ませることによって、そのような結晶形成を除去する試みが行われてきた。
上記の特許に記載されるような有利な効果を提供する物質が見つけられてきたが、それにもかかわらず、いくつかの写真システム（例えば、水性アルカリ性処理組成物が、例えばヘテロ環式プリンのような物質を含む）中におけるそれらの性能は完全に満足されるものではない。ヘテロ環式プリン（例えば、6-ヒドロキシプリン、または、ヒポキサンチン）は、例えば、水素結合による自己会合物(self-associations)を形成する傾向があり、これによって、いくつかの例においては、仕上がった写真の最終画像中に目に見える結晶形成を自然に（例えば、原板処理の約１ヶ月後に）生じる結果となる。
写真システムに関する技術水準が進歩するにつれ、新規な技術および材料が、そのような材料に要求される性能基準を獲得するために、当業者によって開発され続けている。すでに当該分野で公知の材料より有利な、新規な原板処理組成物（すなわち、拡散転写写真システムで使用するフィルムユニットおよび方法）が要求され、それゆえ、そのような利点を提供するために、研究が引き続き成されている。
従って、本発明は、ヒポキサンチンおよびイノシンの存在下における拡散転写写真フィルムユニットの原板処理のための新規な方法に関し、これは、結果として、望ましい感度測定の画像、および、もしあるなら、実質的にはほとんどないが、原板処理後の時間経過に伴う仕上がった写真の最終画像上にヒポキサンチン結晶を生じる。
発明の概要
これらの目的、および他の目的、および利点は、拡散転写写真システム、特に、それとともに使用される水性アルカリ性処理組成物および拡散転写写真フィルムユニットにおける使用のためのプロセスを提供することによって本発明に従い、達成される。
本発明は、ヒポキサンチンおよびイノシンの存在下における拡散転写写真フィルムユニットの原板処理方法に関する。当該分野で周知なように、ヒポキサンチンは、典型的には、水性アルカリ性処理組成物の１成分として拡散転写写真フィルムユニット中に組み込まれる。イノシンは、水性アルカリ性処理組成物または拡散転写写真フィルムユニットの層のいずれかの成分として、本発明の拡散転写写真フィルムユニット中に組み込まれ得る。
拡散転写画像を形成する本発明の方法は、以下の工程を含む：照射の画像パターンへ少なくとも１つのハロゲン化銀乳剤層を有する支持体を含む感光性要素を露光する工程；イノシンの存在下における水生アルカリ性処理組成物を有する露光された感光性要素を現像する工程であり、ここにおいて、処理組成物が、ヒポキサンチンを含む工程；および受像層上に画像を形成する工程。
本発明の方法は、例えば、支持体；少なくとも１つのハロゲン化銀乳剤層；受像層；ヒポキサンチンを含む水性アルカリ性処理組成物；およびイノシンを含むフィルムユニットのような任意の適切な拡散転写写真フィルムユニットを用い得る。
好ましい実施態様において、イノシンは、水性アルカリ性処理組成物の成分として、拡散転写写真フィルムユニット中に組み込まれている。他の好ましい実施態様において、イノシンは、例えば、フィルムユニットの感光性要素の重合体酸反応層におけるようなフィルムユニットの層の成分として、拡散転写写真フィルムユニット中に組み込まれている。任意の適切な量のイノシンが本発明の拡散転写フィルムユニット中に組み込まれ得、本明細書中に提供される情報に基づく日常的な範囲の試験は、任意の所定のフィルムユニットのための適切な量のイノシンを突き止めることを導き得る。
拡散転写写真フィルムユニットを処理するための本発明の新規な方法は、任意の写真乳剤と組み合わせて使用され得、そして、任意の露光された感光性要素（例えば、一体化したフィルムユニットまたはピールアパートタイプフィルムユニットであって、白黒またはカラー画像を形成するための写真システムを含み、ここで、最終画像がメタリック銀画像または画像形成物質（例えば、画像色素供与性物質のような）によって形成される画像である写真システムを含む感光性要素）を処理するために使用され得る。
本発明の方法は、例えば、ハロゲン化銀現像主義、ハロゲン化銀溶剤、ヒポキサンチンおよびイノシンを含む処理組成物のように、ヒポキサンチンを含む任意の適切な処理組成物を用い得る。
ここに、予想外にも、拡散転写写真フィルムユニットの原板処理中にイノシンを含むことによって、原板処理後に時間経過した仕上がった写真の最終画像に発生し得る結晶が実質的に排除され得ることが発見された。
理論に束縛されることは意図しないが、結晶は、本発明の拡散転写フィルムユニット中に組み込まれた水性アルカリ性処理組成物を含むヒポキサンチン分子の自己会合の結果であると考えられている。自己会合は、ヒポキサンチン分子を事実上「堆積」および大きな結晶に成長させるヒポキサンチン分子の分子間水素結合を通じて生じ得る。
イノシンは、化学的構造においてヒポキサンチンに非常に類似しており、より詳細には、ヒポキサンチンの水素原子は、リボース部分によって置換される：
0003921619.tif 000002
十分に理解されてはいないが、イノシンが、例えば、自己会合部分を立体的に封鎖することによって、および／または、事実上、より大きな均一のヒポキサンチン結晶とは反対のより小さな「混合」結晶から形成される会合したヒポキサンチン分子の結晶格子へ自身を挿入することによって、上記のヒポキサンチン分子の自己会合を実質的に妨げることが可能である。
その上、また、イノシン分子の糖官能基（すなわち、リボース部分）は、水溶液（例えば、水性アルカリ性処理組成物）中にかなり可溶のイノシン分子、および中性のまたは低アルカリpHの水性コーティング（例えば、フィルムユニットの感光性要素上にコーティングされた重合体酸反応層（ヒポキサンチンと対比して、これは、中性のまたは低アルカリpHの水溶液中にかなり不溶性である）を与えることによって、結晶形成を妨げる援助となり得る。
本発明により提供される、これらの目的と他の目的、および利点は、部分的に明白になり、本発明の種々の好ましい実施態様の詳細な説明とともに本明細書中の以下に部分的に記載される。従って、本発明は、いくつかの工程ならびに他のそれぞれに関係がある１つ以上の工程の関係および順序を含むプロセス、ならびに生成物ならびに以下の詳細な開示に例示される要素の特徴、性質および関係を有する組成物、ならびに請求の範囲に示される本出願の範囲、を含む。
本発明の本質および目的をさらに十分理解するために、以下の好ましい実施態様の詳細な説明を参照するべきである。
好ましい実施態様の説明
本発明における使用に適切なヒポキサンチンおよびイノシンの化合物は、周知の化合物であり、よって有機化学の当業者に周知の技術（例えば、米国特許第5,108,893；4,931,431；4,845,215；および4,602,089号ならびに米国特許第5,614,504；4,958,017；4,701,413；4,452,889；3,960,661；3,111,459および3,049,536号のそれぞれ）を使用して調製され得る。さらに、ヒポキサンチンは、例えば、イノシンを0.1N H2SO4と共に煮沸（The Merck Index,11 Ed.,Merck ＆ Co.,Inc.,788ページ（1989）参照のこと）することにより調製され得る。また、Harper's Biochemistry, 24 Ed., 380ページ第36章（Lange,1996）も参照のこと。しかし、ヒポキサンチンおよびイノシンの調製のための任意の適切な方法が本発明において用いられ得ることは、当業者に認められる。
例えば、The Merck Indexの774ページに記載のように、ヒポキサンチンは、多数の周知の合成を使用して調製され得、この合成には以下が含まれる。例えば、2,6,8-トリクロロプリンからの合成（Fisher,Ber. 30, 2226（1897）を引用して）；アデニンの酸化による合成
0003921619.tif 000003
を引用して）；尿酸の還元による合成（Sundwik,ibid. 76, 486（1912）を引用して）；ナトリウム-エトキシドの存在下でシアノ酢酸エチルとチオ尿素とを縮合することによる合成（Traube,Ann. 331, 64（1904）を引用して）；およびメルカプト-4-ヒドロキシ-6-アミノピリミジンからの合成（Taylor,Cheng.J.Org.Chem. 25, 148（1960）を引用して）。有機化学の当業者は、このような化合の実施の方法を理解している。
さらに、The Merck Indexの788ページに記載のように、イノシンは、多数の周知の合成を使用して調製され得、この合成には以下が含まれる。例えば、インテスティンから精製したアデノシンデアミナーゼとのインキュベーションによるアデノシンからの合成（Kalckar,J.Biol.Chem. 167, 445（1947）を引用して）；亜硝酸ナトリウムおよび酢酸ナトリウムのアデノシン上の作用による合成（Levene,Jacobs,Ber. 43, 3161（1910）を引用して）；亜硝酸バリウムおよびH2SO4の使用による合成（Reiffら、米国特許第3,049,536号を引用して）；および発酵による合成（米国特許第3,111,459号を引用して）。有機化学の当業者は、このような合成の実施の方法を理解している。
任意の特異的な例におけるイノシンの必要な総量は、例えば処理組成物の成分として、または、フィルムユニット層の成分としてフィルムユニット中にイノシンが組み込まれている拡散転写フィルムユニットの型式が、処理後の所望の結果が、例えば最終画像において、実質的に結晶を残さないような多くの要因に依存することが、当業者に理解される。
イノシンが拡散転写写真フィルムユニットの層に組み込まれる、本発明の実施態様において、層は、この特別な層の機能がわかるのに必要な任意の他の適切な物質を含み得るが、ただし、このような層を含む他の物質は、イノシンが原板処理後時間経過した仕上がった写真の最終画像上に現れ得るヒポキサンチンの結晶形成を実質的に排除する能力に不利に影響を及ぼすことも、この能力を否定することもない。
本発明の好ましい実施態様において、イノシンは、水性アルカリ性処理組成物の成分として、拡散転写写真フィルムユニット中に取り込まれ、好ましくは、ヒポキサンチンのイノシンに対する重量比が約0.50：0.05から約1.0：0.5であり、特に好ましくは、ヒポキサンチンのイノシンに対する重量比が約0.75：0.1から約0.75：0.3であり、とりわけ好ましくは、ヒポキサンチンのイノシンに対する重量比が約0.75：0.2である。
イノシンが処理組成物中に含まれる好ましい実施態様において、処理組成物は、約0.05重量％から約0.5重量％のイノシンを含む。
イノシンが処理組成物中に含まれる他の好ましい実施態様において、処理組成物は、約0.10重量％から約0.30重量％のイノシンを含む。
イノシンが処理組成物中に含まれる他の好ましい実施態様において、、処理組成物は、約0.10重量％から約0.30重量％のイノシンおよび約0.5重量％から約1.0重量％のヒポキサンチンを含む。
イノシンがフィルムユニットの層中に取り込まれる他の好ましい実施態様において、処理組成物中のヒポキサンチンの層中のイノシンに対する好ましい重量比は、約0.75：0.0136から約0.75：0.0909であり、ヒポキサンチンのイノシンに対する特に好ましい重量比は、約0.75：0.0272から約0.75：0.0818であり、ヒポキサンチンのイノシンに対するとりわけ好ましい重量比は、約0.75：0.0136から約0.75：0.0272である。
上述したように、本発明によって、その中に取り込まれる処理組成物中のヒポキサンチン、および、イノシンを含む拡散転写写真フィルムユニットが提供される。１つの実施態様において、イノシンは、処理組成物の成分である。他の実施態様において、イノシンは、拡散転写写真フィルムユニットの層中に組み込まれる。拡散転写写真フィルムユニットが感光性要素を含む本発明の好ましい実施態様において、イノシンは、感光性要素の層中に組み込まれる。拡散転写写真フィルムユニットが重合体酸反応層を含む感光性要素を含む本発明の特に好ましい実施態様において、重合体酸反応層は、イノシンを含む。
一体化およびピールアパートタイプを含む拡散転写写真フィルムユニットの処理のための本発明の新規な方法は、任意の写真乳剤と組み合わされて使用され得、白黒またはカラーの画像、および最終画像がメタリック銀画像、または他の画像形成物質（例えば、画像色素供与性物質のような）によって形成される画像を形成するための写真システムを含む任意の露光した感光性要素を処理するために使用され得る。
白黒およびカラー写真画像システムの両方において有用な画像記録要素（例えば、一体化およびピールアパートタイプフィルムユニット）は当該分野で周知であり、従ってこのような材料に対する広範な議論は必要ではない。しかし、本発明の拡散転写フィルムユニットは、好ましくは当該分野で公知のように破断可能な(repturable)容器または「ポッド」（これは水性アルカリ性処理組成物を放出可能に含む）を含む写真システムで使用されるが、それにも関わらず、本発明の拡散転写フィルムユニットはまた、ポッドを用いない写真システムでも使用され得ることに留意すべきである。
さらに、本発明の新規な方法は任意の写真乳剤と組み合わせて使用され得る。本発明の好ましい拡散転写フィルムユニットにおいて、ネガの作用をする(negative working)ハロゲン化銀乳剤(すなわち露光領域を現像するもの)を含むことが好ましい。さらに、本発明の新規な方法は任意の画像色素供与性物質、例えば完全色素または色素中間体(例えば、発色剤)または発色現像剤と関連して使用され得る。発色現像剤は米国特許第2,983,606号に記載のように、同一分子内に、色素の発色系およびハロゲン化銀現像機能の両方を含む。
本発明の拡散転写写真フィルム要素の特に好ましい実施態様において、初期には拡散性または非核酸性であり得る1種またはそれ以上の画像色素供与性物質が含まれる。拡散転写写真システムにおいて、通常使用され得る画像色素供与性物質は以下の(1)または(2)のいずれかで特徴づけられる：(1)初期には処理組成物中に可溶性または拡散性であるが、現像の作用として像様に選択的に非拡散性になる、あるいは(2)初期には処理組成物中に不溶性または非核酸性であるが、現像の作用として像様に選択的に拡散性の生成物を与える。必要とされる移動度または溶解度の差は、例えば、発色現像剤の場合のようにレドックス反応のような化学反応によって得られ得、あるいはチアゾリジンの場合のように、カップリング反応または銀が補助する開裂反応によって得られ得る。前述のように、本発明の多色拡散転写フィルムユニットにおいて1種より多くの画像形成機構が用いられ得る。
使用され得る他の画像色素供与性物質には、例えば、米国特許第2,087,817号に記載の拡散転写プロセスで有用なもののような、初期拡散性のカップリング色素(これはカラー現像剤の酸化生成物とのカップリングによって非拡散性になる)；米国特許第3,725,062号および同第4,076,529号に記載の、酸化の後で拡散性色素を放出する初期非拡散性の色素(ときとして「レドックス色素放出剤」色素と呼ばれる)；米国特許第3,433,939号に記載のような、酸化および分子内環化の後に拡散性色素を放出する初期非拡散性の画像色素供与性物質、あるいは、米国特許第3,719,489号および同5,569,574号の開示に従う、銀が補助する開裂を受けて拡散性色素を放出する初期非拡散性の画像色素供与性物質；および米国特許第3,227,550号に記載のような、酸化カラー現像剤とのカップリングの後に拡散性色素を放出する初期非核酸性の画像色素供与性物質が包含される。本発明の特に好ましい実施態様において、画像色素供与性物質は、初期拡散性物質である発色現像剤である。
米国特許第3,719,489号および同4,098,783号は、拡散性画像色素が、固定化前駆体から、特定の硫黄-窒素含有化合物(好ましくは環状1,3-硫黄窒素環系、そして最も好ましくはチアゾリジン化合物)の銀開始開裂(silver-initiated cleavage)によって放出される拡散転写プロセスを開示する。簡便のため、これらの化合物を「画像色素放出チアゾリジン」と称し得る。3つの画像色素すべてについて、同じ放出機構が用いられ、そして容易に明らかであるように、この画像色素形成系はレドックスで制御されるのではない。
米国特許第5,569,574号は、拡散性画像色素が、固定化前駆体から、特定の硫黄-酸素含有化合物(好ましくは、1,3-硫黄-酸素環系)の銀開始開裂によって放出される拡散転写プロセスを開示する。
2つの異なる画像形成機構、すなわち発色現像剤および画像色素放出チアゾリジンを用いる技術が米国特許第4,777,112号；同第4,794,067号および同5,422,233号に記載されており、そして米国特許第4,740,448号に記載され、特許請求されている。このプロセスに従えば、受像層から最も離れて位置する画像色素は発色現像剤であり、そして受像層の最も近くに位置する画像色素は、画像色素放出チアゾリジンによって提供される。他の画像色素供与性物質は、発色現像剤または画像色素放出チアゾリジンのいずれであってもよい。本発明に従う特に好ましい拡散転写フィルムユニットは、米国特許第4,740,448号に記載のように、画像色素供与性物質として、発色現像剤および色素提供チアゾリジン化合物の両方を含む。
本発明の拡散転写フィルムユニットを用いる拡散転写写真システムは、任意の既知の拡散転写多色フィルムを含み得る。本発明に従う特に好ましい拡散転写写真フィルムユニットは、多色色素画像を提供することを意図するフィルムユニットである。最も普通に用いられる多色画像を形成するための感光性要素は「トライパック(tripack)」構造のものであり、そして青感性、緑感性および赤感性のハロゲン化銀乳剤層を含み、各々がそれに関連して、同一または近接した層として、イエロー、マゼンタおよびシアンの画像色素供与性物質を各々有する。
適切な感光性要素、ならびに拡散転写写真画像の処理におけるその使用は周知であり、そして例えば、米国特許第2,983,606号；および米国特許第3,345,163号および同第4,322,489号に開示される。
米国特許第2,983,606号は、減色フィルムを開示し、これはその中に各々が関連するシアン、マゼンタおよびイエローの発色現像剤を有する赤感性、緑感性および青感性のハロゲン化銀層を使用する。このようなフィルムにおいて、露光領域中の発色現像剤の酸化およびそれに続くその固定化が、酸化されていない拡散性シアン、マゼンタ、およびイエローの発色現像剤の像様分布(これは拡散によって受像層に転写する)を得るための機構を提供している。発色現像剤自体は露光したハロゲン化銀を現像し得るが、実際にはこの発色現像剤プロセスは無色現像主薬(ときに、「補助」現像剤、「メッセンジャー」現像剤または「電子移動剤」とよばれる)を用いており、この現像主薬が露光したハロゲン化銀を現像する。次にこの酸化された現像主薬は発色現像剤とのレドックス反応に関与し、それにより発色現像剤を酸化し像様の形で固定化する。周知のメッセンジャー現像剤は4'-メチルフェニルヒドロキノンである。Polacolor▲Ｒ▼SX-70、Time Zero▲Ｒ▼および600を含むPolaroid Corporationの市販の拡散転写写真フィルムは、シアン、マゼンタ、およびイエロー発色現像剤を使用している。
本発明の拡散転写写真材料は、感光性ハロゲン化銀乳剤層および受像層が最初は別々の要素中に含まれ、これが露光の後または前に重ね合わされるものを含む。あるいは、感光層および受像層は、最初は、ネガおよびポジ成分が一体化構造で一緒に保持される単一の要素中に存在してもよい。いずれの場合でも、現像の後、2つの要素は単一のフィルムユニット(すなわち、一体化したネガ−ポジフィルムユニット)中またはそれぞれ別々のフィルムユニット(すなわち、ピールアパートフィルムユニット)中で一緒に保持され得る。
上記のように、本発明の多色化拡散転写写真フィルムユニットは、米国特許第3,415,644号に記載のように、感光性要素および受像要素が、露光の前、間、および後に重ね合わされた関係で維持されるフィルムユニットを包含する。このタイプのフィルムの市販例(例えばSX-70フィルム)において、感光性要素の支持体は不透明であり、受像要素の支持体は透明であり、そして光反射色素(二酸化チタン)を含む処理組成物の層が重ね合わされた要素の間に分布することによって、光反射層(この層に対して受像層中の画像が目視され得る)が形成される。適切なpH感受性光学フィルム剤(好ましくはpH感受性フタレイン色素))を処理組成物中に配合することによっても、また、(例えば、米国特許第3,647,347号に記載のように)、処理組成物を付与した直後にフィルムユニットをカメラから取り出し得る。このとき、写真家が転写画像の出現を見ている間に、処理が周囲光中で達成される。当該分野で公知なように、光反射色素濃度および光学フィルター剤は、これらの成分を含む原板処理組成物の層が、ハロゲン化銀乳剤のような成分への化学光線（例えば、一体化フィルムユニットの受像要素の透明な支持体へ入射し透過する周囲の光から得られる光）に対し十分に不透明であるように選択される。
当業者によってまたよく理解されるように、例えば、米国特許第4,298,674号に記載のように、光学フィルター剤の光吸収能力は、この能力がもはや必要でなくなった後で、「取り除かれる」かまたは実質的に減少されるので、光学フィルター剤は、フィルムユニットから除去される必要がない。すなわち、光学フィルター剤は、反射層によって提供される転写画像またはホワイトバックグラウンドら低下させ得る目に見える吸収を示さない。拡散転写写真フィルムユニットが光反射色素（light-reflecting pigment）および光学フィルター剤を含む本発明の実施態様において、光学フィルター剤の光吸収能力を取り除くのに適した任意の適切な方法が採用され得、これには、例えばおよび好ましくは、まさに本明細書の日付で出願され、同時係属で、同一人に譲渡された米国特許出願番号第08/890,500号（現在では、米国特許第5,747,219号）中に、開示および特許請求された層の使用を含む。
上記のように、減色多色拡散写真フィルムは、青感性ハロゲン化銀乳剤をイエロー画像色素と関連して含み、緑感性ハロゲン化銀乳剤をマゼンタ画像色素と関連して含み、そして赤感性ハロゲン化銀乳剤をシアン画像色素と関連して含む。各ハロゲン化銀乳剤およびその関連の画像色素供与性物質は、「サンドイッチ」であると考え得る。すなわち、赤サンドイッチ、緑サンドイッチおよび青サンドイッチである。同様に、拡散性画像色素の各々の像様分布を作り出すために共同する関連層(例えば赤感性ハロゲン化銀乳剤およびその関連するシアン発色現像剤)を、集合的に、例えば感光性要素の赤色画像成分、のように呼んでもよい。特定の画像成分が、中間層およびタイミング層のような他の層を含み得ることに留意すべきである。
前述のように、本発明は任意の多色拡散転写写真フィルムユニットにおいて実施され得、そしてこれらのフィルムユニットは任意の画像色素供与性物質を含み得る。本発明の特に好ましい実施態様において、シアンおよびマゼンタ画像色素は発色現像剤であり、そしてイエロー画像色素はチアゾリジンである。特に好ましい実施態様において、赤色サンドイッチ、または画像成分は、感光性要素の支持体に最も近接して位置し、そして青色画像成分は感光性要素の支持体から最も遠く、そして受像層に最も近くに位置する。
手短に言えば、例えば、拡散転写写真フィルムユニットの好ましい実施態様には、一般的に：支持体；少なくとも１つのハロゲン化銀乳剤層；受像層；ヒポキサンチンを含む成分を処理する水性アルカリ；およびイノシン、が挙げられる。
本発明の拡散転写写真フィルムユニットの好ましい実施態様には、：（１）少なくとも１つのハロゲン化銀乳剤層を有する支持体を含む感光性要素；（２）受像層を有する支持体を含む受像要素；（３）ヒポキサンチンを含む原板処理組成物を放出できるように保持し、あらかじめ決定された要素層の間に原板処理組成物を配給するのに適応するように位置された破裂可能な容器；および（４）原板処理組成物中またはいずれかの要素層のいずれかの中のイノシン、が挙げられる。
さらに、感光性要素および受像要素がピールアパートタイプ（peel-apart type）である拡散転写写真フィルムユニットの好ましい実施態様には：（ａ）少なくとも１つのハロゲン化銀乳剤層を有する支持体を含む感光性要素（２）受像層、重合体酸反応層、タイミング層、オーバーコート層、およびストリップコート層を有する支持体を含む受像要素；（３）ヒポキサンチンを含む原板処理組成物を放出できるように保持し、あらかじめ決定された要素層の間に原板処理組成物を配給するのに適応するように位置された破裂可能な容器；および（４）原板処理組成物中またはいずれかの要素層のいずれかの中のイノシン、が挙げられる。
受像要素が、露光および感光性処理後に感光性要素を保持するように設計された拡散転写感光性フィルムユニットの好ましい実施態様には、一般的には：（１）少なくとも１つのハロゲン化銀乳剤層、イノシンを含む重合体酸反応層、およびタイミング層を保有する支持体を含む感光性要素；（２）転写支持体を含み、受像層を有する受像要素（これは受像要素上に重ね合わされるか、または重ね合わせられる）；および（３）ヒポキサンチンを含む水性アルカリ性処理組成物を放出できるように持ち、所定の要素層の間に前記処理組成物を配給するのに適応するように位置された破裂可能な容器、が挙げられ、全ては本明細書中に記載のように調製される。
受像要素が、露光および感光性処理後に感光性要素を保持するように設計された拡散転写感光性フィルムユニットの他の好ましい実施態様には、一般的には：（１）少なくとも１つのハロゲン化銀乳剤層、重合体酸反応層、およびタイミング層を有する支持体を含む感光性要素；（２）転写支持体を含み、受像層を有する受像要素（これは受像要素上に重ね合わされるか、または重ね合わされ得る）；および（３）ヒポキサンチンおよびイノシンを含む水性アルカリ性処理組成物を放出できるように保持し、所定の要素層の間に前記処理組成物を配給するのに適応するように位置された破裂可能な容器、が挙げられ、全ては本明細書中に記載のように調製される。
受像要素が、露光および感光性処理後に感光性要素を保持するように設計された拡散転写感光性フィルムユニットの他の好ましい実施態様には、一般的には：（１）少なくとも１つのハロゲン化銀乳剤層、重合体酸反応層、およびタイミング層を有する支持体を含む感光性要素；（２）転写支持体を含み、受像層およびノニルフェノキシポリオキシエチレン、ステアリン酸ポリオキシエチレン、およびポリビニルピロリドンを含む層を含む受像要素（これは、まさに本明細書の日付で出願された米国特許出願番号第08/890,500（現在では、米国特許第5,747,219号）において開示および特許請求されており、受像要素上に重ね合わされるか、または重ね合わされ得る）；および（３）ヒポキサンチン、イノシン、光反射色素および光吸収光学フィルター剤を含む水性アルカリ性処理組成物を放出できるように保持し、あらかじめ決定された要素層の間に前記処理組成物を配給するのに適応するように位置された破壊可能な容器、が挙げられ、全ては本明細書中に記載のように調製される。
さらに、上記の任意の好ましい実施態様における感光性要素は、好ましくは、ハロゲン化銀乳剤層（単数または複数）に関連して、色素供与性物質を含む。なおその上、感光性要素は、好ましくは、それに関連のシアン画像色素供与性物質を有する赤感性ハロゲン化銀乳剤、それに関連のマゼンタ画像色素供与性物質を有する緑感性ハロゲン化銀乳剤層、およびそれに関連のイエロー画像色素供与性物質を有する青感性ハロゲン化銀乳剤層を含む。
本発明の拡散転写原板フィルムユニットの支持体（単数または複数）が有する層のそれぞれは、当該分野で周知のように、所望の拡散転写原板処理を提供する所定の方法で機能する。また、受像要素は、ストリップコート層（例えば、米国特許第5,346,800号において開示および特許請求されている）、およびオーバーコート層（例えば、米国特許第5,415,969号において開示および特許請求されている）のような当該分野で公知である付加的な層を含み得ることが理解されるべきである。拡散転写写真フィルムユニットがピールアパートタイプである本発明の実施態様において、ストリップコート層を含むことが好ましい。
支持体材料は、受像要素の他の層を担持し得る任意の種々の材料を含み得る。紙、塩化ビニル重合体、ナイロンのようなポリアミド、ポリエチレンテレフタレートのようなポリエステル、または酢酸セルロースまたは酢酸-酪酸セルロースのようなセルロース誘導体が適切に使用され得る。最終写真の所望の性質、透明、不透明または半透明材料などの支持体材料の性質が選択事項である。典型的には、ピールアパート拡散転写フィルムユニットでの使用に適合し、処理の後分離されるように設計された受像要素は、不透明支持体材料をベースとする。
本明細書中の実施例Ｉに示す受像要素の支持体材料は、写真反射プリントを生成するためには透明材料であり、そして透明画の処理が所望される場合には支持体は透明支持体材料であることが理解される。支持体材料が透明シート材料である1つの実施態様において、不透明シート(示さず)、好ましくは感圧性の不透明シートを透明支持体上に付与して、インライト(in-light)現像ができるようにする。原板処理を行い、次いで不透明感圧シートを除去すると、画像を担う層に拡散した写真画像を透明画として見ることができる。前記のように、受像要素の支持体材料が透明シートなので、カーボンブラックおよび二酸化チタンのような不透明化材料を処理組成物中に配合して、インライト現像を可能とし得る。
上記のように、本発明の好ましい拡散転写写真フィルムユニットは圧力をかけると破断可能な容器を含む。このようなポッドおよび同様な構造は当該分野で一般的であり、そして原板処理組成物を例えば感光性要素および受像要素に対して提供するための手段を一般的に定義する。処理組成物は典型的には水性アルカリ性組成物を含み、これは当該分野で公知のように、一般的に、ハロゲン化銀現像主薬およびハロゲン化銀溶剤を含み、他の追加物を含み得る。このような水性アルカリ性処理組成物の例は、米国特許第3,445,685号；同第3,597,197号；同第4,680,247号；同第4,756,996号および同第5,422,233号、ならびにここで引用される特許において見いだされる。
さらに、本発明の拡散転写写真フィルムユニットにおいて使用される水性アルカリ性処理組成物は、米国特許第5,604,079号において開示および特許請求される1種またはそれ以上のアシルピリジン-N-オキシド化合物を含み得る。
前述のように、上記の感光系は感光性ハロゲン化銀乳剤を含む。本発明の好ましいカラーの実施態様において、対応する画像色素供与性物質が、ハロゲン化銀乳剤と組み合わされて提供される。画像色素供与性物質は、処理すると、露光の作用として受像層に拡散し得る拡散性色素を提供し得る。前述のように、好ましい写真拡散転写フィルムユニットは、多色色素画像を提供することを意図し、そして感光性要素は好ましくはこのような多色色素画像を提供し得る感光性要素である。好ましい黒白の実施態様において、使用される画像形成物質は、処理の間に感光性要素から受像層に拡散する錯体化銀である。さらに、このような黒白の実施態様で用いられる受像層は、典型的には、銀核形成物質を含む。前述のように、そのような感光系は両方とも当該分野で周知である。
しかし簡潔には、本発明の黒白拡散転写フィルムユニットにおいて、感光ハロゲン化銀乳剤を含む感光性要素が露光され、そしてハロゲン化銀現像主薬およびハロゲン化銀溶媒を含む水性アルカリ性溶液に供される。現像主薬は露光されたハロゲン化銀を還元して不溶性形態とし、そして非露光のハロゲン化銀（これは銀溶媒で可溶化される）は受像要素に移動する。これらのフィルムユニットの受像要素は典型的には支持体および受像層を有し、受像層は上述のような銀沈殿物質を含み、ここで可溶性銀錯体が沈殿または還元されて、可視の銀黒色および白色の画像を形成する。黒白の実施態様におけるオーバーコート層のためのバインダー材料は、写真アルカリ性処理液ならびに錯体化銀塩（これが受像層に転写して画像を提供する）に対して透過性であるべきである。このような黒白写真フィルムユニットの例は、米国特許第3,567,442号；同第3,390,991号および同第3,607,269号、ならびにE.H. Land、H.G. Rogers、およびV.K. Walworth、J.M. Sturge編、「Neblette's Handbook of Photography and Reprography、第7版、Van Nostrand Reinhold, New York, 1977, 258-330頁に開示される。
前述のように、好ましい実施態様において、本発明の拡散転写写真フィルムユニットの感光性要素は重合体酸反応層を含む。重合体酸反応層は、転写画像形成の後に、フィルムユニットの周囲のpHを低下させる。例えば米国特許第3,362,819号に開示されるように、重合体酸反応層は、処理組成物の第1(高い)pH(このpHにおいて画像物質(例えば画像色素)は拡散性である)から、第2の(低い)pH(このpHにおいて画像物質は拡散性ではない)へとpHを低下させるように適合された、非拡散性の酸反応試薬を含み得る。酸反応試薬は、好ましくは、アルカリ金属または有機塩基と塩を形成し得る酸基(例えば、カルボン酸基またはスルホン酸基)、あるいは潜在的に酸を生じる基(例えば無水物またはラクトン)を含む重合体である。それゆえ、フィルムユニットの周囲pHの低下は、処理組成物によって提供されるアルカリと、固定化酸反応部位を含み、中和層として機能する層との間の中和反応を行うことによって達成される。このような中和層が含む好ましい重合体は、フタル酸水素酢酸セルロース；フタル酸水素ポリビニル；ポリアクリル酸；ポリスチレンスルホン酸；および無水マレイン酸の共重合体およびそのハーフエステルのような重合体の酸である。
さらに、重合体酸反応層は、所望ならば、支持体層を有機溶媒ベースまたは水ベースの被覆組成物で被覆することによって付与され得る。有機ベースの組成物から典型的に被覆される重合体酸反応層は、ポリエチレン／無水マレイン酸共重合体のハーフブチルエステルとポリビニルブチラールとの混合物を含む。重合体酸反応層の提供のための適切な水ベースの組成物は、水溶性重合体酸と水溶性マトリクス、またはバインダー材料との混合物を含む。適切な水溶性重合体酸は、エチレン／無水マレイン酸共重合体およびポリ(メチルビニルエーテル／無水マレイン酸)を包含する。適切な水溶性バインダーは、米国特許第3,756,815号に記載のような、ポリビニルアルコール、部分的に加水分解されたポリ酢酸ビニル、カルボキシメチルセルロース、ヒドロキシエチルセルロース、ヒドロキシプロピルセルロース、ポリメチルビニルエーテルなどのような重合体材料を包含する。有用な重合体酸反応の例として、米国特許第3,362,819号および同第3,756,815号に開示のものに加えて、米国特許第3,415,644号；同第3,754,910号；同第3,765,855号；同第3,819,371号および同第3,833,367号に開示のものへの言及がなされ得る。
現像プロセスを妨害する早すぎるpH低下を起こさないようにpH低下を制御または「時間を合わせる（time）」ために、任意の適切な不活性中間層またはスペーサー層を重合体酸層と組み合わせて使用し得る。この目的に有用な適切なスペーサーまたは「タイミング」層は、米国特許第3,362,819号；同第3,419,389号；同第3,421,893号；同第3,455,686号；同第3,575,701号；同第4,201,587号；同第4,288,523号；同第4,297,431号；同第4,391,895号；同第4,426,481号；同第4,458,001号；同第4,461,824号；同第4,457,451号および同第5,593,810号に詳細に記載されている。重合体酸反応層を含む本発明の拡散転写写真フィルムユニット中にタイミング層を含むことが好ましい。
前述のように、処理の間に感光性要素から像様の形式で拡散する画像形成物質を受容するために設計される任意の適切な受像層が、本発明において使用され得る。本発明のカラーの実施態様において、受像層は通常、アルカリ性処理組成物に対して透過性の染色可能な材料を含む。染色可能な材料は、ポリビニルアルコールをポリビニルピリジン重合体(例えば、ポリ(4-ビニルピリジン))と共に含み得る。このような受像層は米国特許第3,148,061号にさらに記載されている。
他の適切な受像層材料は、4-ビニルピリジンおよび塩化ビニルベンジルトリメチルアンモニウムがヒドロキシエチルセルロース上にグラフトしたグラフト共重合体を含む。このようなグラフト共重合体および受像層としてのその使用は、米国特許第3,756,814号および同第4,080,346号にさらに記載されている。しかし他の適切な材料も使用され得る。
例えば、適当なビニルベンジルトリアルキルアンモニウムタイプの媒染剤物質が例えば米国特許第3,770,439号に記載されている。ヒドラジニウムタイプ(例えば、ポリ塩化ビニルベンジルを二置換不斉ヒドラジンで四級化することによって調製される重合体媒染剤)の媒染剤重合体(例えば、1966年3月9日発行の英国特許第1,022,207号に記載のもの)もまた使用され得る。このようなヒドラジニウム媒染剤の１つはポリ(1-ビニルベンジル1,1-ジメチルヒドラジニウムクロリド)である。これは例えば、適切な受像層を提供するためにポリビニルアルコールと混合され得る。
受像層において使用される、さらに他の適切な媒染剤物質は、例えば米国特許第4,794,067号；同第5,591,560号；および同第5,593,809号に記載のような、トリメチル−、トリエチル−およびトリドデシル-ビニルベンジルアンモニウムクロリドを含む三元重合体である。
前述のように、本発明の拡散転写写真フィルムユニットはまた、例えば米国特許第5,415,969号および同第5,633,114号に記載のようなオーバーコート層を含み得る。このようなオーバーコート層は、乾燥重量で大部分の水不溶性粒子と乾燥重量で少量のバインダー材料とを含む。この粒子は実質的に水に不溶性であり、そして湿潤時に膨潤しない。さらに、オーバーコート層による光の散乱を最少とするために、粒子は典型的には平均粒子サイズが小さく、例えば、300mm未満、そして好ましくは100nm未満、そしてより好ましくは約1nmから50nmの範囲である。水不溶性粒子は、無機材料(例えばコロイド状シリカ)、および／または有機材料(例えば、アクリルエマルジョン樹脂のような水不溶性の重合体ラテックス粒子)を含み得る。コロイド状シリカが、このようなオーバーコート層で使用するための好ましい無機粒子であるが、他の無機粒子も、コロイド状シリカと組み合わせて、あるいはコロイド状シリカの代わりに使用され得る。
オーバーコート層のバインダー材料は、好ましくは水不溶性のラテックス材料を含むが、この層は水溶性材料または水不溶性材料と水溶性材料との組み合わせを含み得る。適用可能な水溶性バインダー材料の例は、エチレンアクリル酸、ポリビニルアルコール、ゼラチンなどを包含する。
他の層と組み合わせて1層またはそれ以上のオーバーコート層が使用され得る。典型的には、各オーバーコート層は約2ミクロンまでの厚みであり、そして好ましくは1ミクロンと1.5ミクロンとの間の厚みである。このようなオーバーコート層は、所望の品質の写真を提供するために十分な画像供与性物質を受像層に転写させることを可能としなければならない。さらに、本発明のピールアパートタイプの拡散転写写真フィルムユニットにおいて、オーバーコート層が処理および感光性要素の分離の後に受像要素上に残るので、オーバーコート層はの可視光をいかなる感知可能な程度でも散乱させるべきではない。なぜなら写真はそのような層を通して見られるからである。
本発明の好ましい実施態様において、受像要素は、Petrolite▲Ｒ▼D300(これはPetrolite Corporation(Tulsa、OK)から市販)、およびPolyox N3K(これはUnion Carbide Corporation(Danbury, CT)から市販)を各々約3：1の比で含む共重合体、およびAerosol-OS(これはAmerican Cyanamid Corporation(Stamford, CT)から市販)を含む層を含む。
ここで、本発明を例示のための特定の好ましい実施態様に関してさらに詳細に説明するが、本実施例は例示のみを意図し、そして本発明はここに記述される材料、条件、プロセスパラメータなどに限定されるものではないことが理解される。記述される部および百分率はすべて他に指示のない限り重量による。
実施例
２つの拡散転写写真フィルムユニットを調製した：１つは「試験」フィルムユニット（すなわち、本発明の実施態様によって調製されるフィルムユニット）で、１つは「コントロール」フィルムユニット（すなわち、試験フィルムユニットの場合と全く同じ方法ではあるが、イノシンを含まない方法で調製されるフィルムユニット）である。
より具体的には、以下に詳細に記載するように、例えば、Yick-Vic ChemicalsおよびPharmaceuticals(HK)LTD(Hong Kong)またはKyowa Hakko Kogyo Co.,Ltd.(Tokyo,Japan)から入手可能なヒポキサンチンおよびイノシンを含む本発明の実施態様によって、「試験」拡散転写写真フィルムユニットに組み込まれた水性アルカリ性処理組成物を、調製した。
上記の「コントロール」拡散転写写真フィルムユニットおよび「試験」拡散転写写真フィルムユニットにおいて使用される感光性要素は、連続性を有する、不透明の半被覆されたポリエチレンテレフタレート写真フィルム基材を含む。
1．重合体酸反応層。これは約24,212mg/m2の被覆率で被覆され、1.2／1の比率の、AIRFLEX▲Ｒ▼465(Air Products Co.から入手可能な酢酸ビニルエチレンラテックス)およびGANTREZ▲Ｒ▼S-97(GAF Corp.から入手可能なメチルビニルエーテルと無水マレイン酸との共重合体の遊離酸)を含む；
2．タイミング層。これは約4075.5mg/m2の被覆率で被覆され、ジアセトンアクリルアミドおよびアクリルアミドをポリビニルアルコール上にグラフトした共重合体4026.6mg/m2およびAerosol-OSの48.9mg/m2を含む；
3．シアン発色現像剤層。これは約500mg/m2の下記式で表されるシアン発色現像剤：
0003921619.tif 000004
約274mg/m2のゼラチン、および約184mg/m2のメチルフェニルヒドロキノン：
0003921619.tif 000005
を含む；
4．中間層。これは約1000mg/m2の二酸化チタン、約374mg/m2のポリメタクリル酸メチルビーズ(約0.2μm)の分散体、約124mg/m2のゼラチン、および約374mg/m2のアクリル酸ブチル／ジアセトンアクリルアミド／メタクリル酸／スチレン／アクリル酸の共重合体を含む；
5．赤感性ヨウ臭化銀（silver iodobromide）層。これは約157mg/2のヨウ臭化銀(0.7μm)、約525mg/m2のヨウ臭化銀(1.5μm)、約367mg/m2のヨウ臭化銀(1.8μm)および約600mg/m2のゼラチンを含む；
6．中間層。これは約2976mg/m2のアクリル酸ブチル／ジアセトンアクリルアミド／メタクリル酸／スチレン／アクリル酸の共重合体、および約124mg/m2のコハク酸ジアルデヒドを含む；
7．マゼンタ発色現像剤層。これは下記式で表される約300mg/m2のマゼンタ発色現像剤：
0003921619.tif 000006
約30mg/m2のベンジルアミノプリン、約200mg/m2の放出可能なくもり防止剤
0003921619.tif 000007
約200mg/m2の2-フェニルベンズイミダゾールおよび約292mg/m2のゼラチンを含む；
8．約900mg/m2の二酸化チタン、約337mg/m2のポリメタクリル酸メチルビーズ(約0.2μm)の分散体、約112mg/m2のゼラチン、および約337mg/m2のアクリル酸ブチル／ジアセトンアクリルアミド／メタクリル酸／スチレン／アクリル酸の共重合体を含む層；
9．緑感性ヨウ臭化銀層。これは約220mg/m2のヨウ臭化銀(1.1μm)、約660mg/m2のヨウ臭化銀(1.3μm)、約220mg/m2のヨウ臭化銀(1.5μm)、および約484mg/m2ののゼラチンを含む；
10．スペーサー層。これは約300mg/m2のトリクレシルホスフェート(tricrestylphospate)、約136mg/m2のMPHQ、約136mg/m2の下記式で表されるラクトン現像剤
0003921619.tif 000008
および約249mg/m2ゼラチンを含む；
11．中間層。これは約1248mg/m2のアクリル酸ブチル／ジアセトンアクリルアミド／メタクリル酸／スチレン／アクリル酸の共重合体、および約52mg/m2のコハク酸ジアルデヒドを含む；
12．約1200mg/m2のスカベンジャー(1-オクタデシル-4,4-ジメチル-2-[2-ヒドロキシ-5-(N-(7-カプロラクトアミド)スルホンアミド-フェニル]チアゾリジン)および約696mg/m2のゼラチンを含む層；
13．イエローフィルタ層。これは約400mg/m2のベンジジンイエロー色素、約400mg/m2のポリビニルアルコール(Airvol▲Ｒ▼325、Air Products Co.から入手可能)および約150mg/m2の硬膜剤(R.H. Sands Corp.から商品名OB1207として入手可能)；
14．イエロー画像色素供給層。これは下記式で表される約420mg/m2のイエロー画像色素供給性物質
0003921619.tif 000009
(Airvol中に分散されたもの)、および約280mg/m2のゼラチンを含む；
15．約412mg/m2の被覆率のtert-オクチルヒドロキノン、約206mg/m2のジメチルテレフタルアミド、約45mg/m2の酸化放出抑制化合物(Fairmont Chemical, Inc.から入手可能)、および約300mg/m2のゼラチンで被覆された層；
16．青感性ヨウ臭化銀層。これは約235mg/m2のヨウ臭化銀(1.3μm)および約118mg/m2のゼラチンを含む；および
17．約450mg/m2のポリメタクリル酸メチルビーズ(約0.2μm)の分散体、および約350mg/m2のゼラチンを含む層。
米国特許第5,571,656号は、上記層10に含まれるラクトン現像剤の拡散転写写真フィルムユニット中での使用を開示および特許請求する。
「コントロール」および「試験」拡散転写写真フィルムユニットで使用される受像要素は、下記の層を順次有する、透明のサブコーティングされたポリエチレンテレフタレート写真フィルム基材を含んでいた：
1．受像層。これは約2798mg/m2の被覆率で被覆され、ビニルベンジルトリメチルアンモニウムクロリド、ビニルベンジルトリエチルアンモニウムクロリド、およびビニルベンジルメチルドデシルアンモニウムクロリド(各々、6.7／3.3／1重量％)を含む三元重合体を2部、およびゼラチンを1部、約12.5mg/m2のジメチル-2,4-イミダゾリンジオン、約53.8mg/m2の硝酸アンモニウム、および約10.8mg/m2のポリメタクリル酸メチルビーズ(約４〜約７ミクロン、Anitec Imageから入手可能)を含む；
2．約810mg/m2の被覆率で被覆され、約540mg/m2のIgepal▲Ｒ▼CO-997および約270mg/m2のType NP K-90を含む層；および
3．約430mg/m2の被覆率で被覆され、約323mg/m2のPetrolite▲Ｒ▼(D300)および約108mg/m2のPolyox N3K(各々、約3：1の比)、および約21.5mg/m2の0.1％のAerosol-OSを含む層。
実施例のフィルムユニットを、上記の受像要素および感光性要素を用いて調製した。各場合において、感光性要素の露光の後、受像要素および感光性要素を対向する関係(すなわち各々の支持体を最も外側にする)に配置し、そして水性アルカリ性処理組成物を含む破断可能な容器を受像要素と感光性要素の間の各フィルムユニットの最端部に固定して、この容器を加圧すると容器のシールがその縁部端に沿って破断し、そしてその中身が各要素間に均一に分配されるようにした。「コントロール」フィルムユニットの処理に用いた水性アルカリ性処理組成物の化学組成を表Ｉに示す。
0003921619.tif 000010
0003921619.tif 000011
「試験」拡散転写写真フィルムユニットに組み込まれた水性アルカリ性処理組成物は、約0.30重量部のイノシンをさらに含む。
各フィルムユニットを感光度計のターゲット(sensitometric target)に露光した後、約0.007mmの間隙を空けてセットした一対のローラの間を室温で通過させて、透明支持体を通して最終画像を見た。
McBeth濃度計で測定した赤、青および緑の極大(Dmax)および極小(Dmin)反射濃度を以下の表IIに示す。
0003921619.tif 000012
「コントロール」および「試験」の両方の拡散転写写真フィルムユニットが受像層へ拡散するのに十分な画像色素供与性物質を与えることは、表ＩＩ中に報告されるＤmaxデータから理解される。また、「コントロール」および「試験」の両方の拡散転写写真フィルムユニットが受容できるバックグラウンドを含む写真を提供することは、表ＩＩ中のＤminデータから認識される。
上記の有益な効果、および本実施例の拡散転写写真フィルムユニットから発生する仕上げられた写真の視覚的な検査および操作を決定する有益な効果に加えて、本発明（すなわち「試験」写真フィルムユニット）によるイノシンさらにはヒポキサンチンを含む水性アルカリ性処理組成物の使用は、仕上げられた写真の最終画像中に結晶の形成を自然に、実質的に排除する。生じた領域または結晶（上記の原板処理の約１ヶ月以内に仕上げられた「コントロール」写真の最終画像上に見え、そこから削除される）の質量分光法分析は、結晶が主にヒポキサンチンを包含することを示す。
本発明は、その種々の好ましい実施態様に関連して詳細に記載されたが、当業者は、本発明がそこに限定されるものではなく、むしろ本発明の精神および添付の請求の範囲の範囲内での変化および改良がなされることを認識する。